(57)【要約】【課題】この発明は、安定した電気接続性を確保することのできる分岐コネクタを提供することを目的とする。【解決手段】オス型コネクタ１００の嵌着を許容する一対のメインコネクタ１１，１２と、サブコネクタ１３とを、Ｌ型ハウジング３０内部で、フラットケーブルで構成するメインケーブル２１と、サブケーブル２２とで接続し、メインケーブル２１に余長部２１ａを備えて、サブケーブル２２を余長部２１ａにマトリックス接続した。【選択図】図２
2009245842.tif 000002
【特許請求の範囲】
【請求項１】
オス型コネクタの嵌着を許容する三個以上のメス型コネクタと、
三方向以上の位置に配置された該メス型コネクタを保持するハウジングと、
該ハウジング内部で前記メス型コネクタ同士を接続する電気ケーブルとで構成し、
三個以上のメス型コネクタを、
一対のメインコネクタと、それ以外のサブコネクタで構成し、
前記電気ケーブルを、
前記一対のメインコネクタを接続するメインケーブルと、
該メインケーブルと前記サブコネクタとを接続するサブケーブルとで構成し、
前記メインケーブルを、余長部を備えて、前記一対のメインコネクタを接続する接続長さより長く形成し、
前記サブケーブルを、前記余長部に接続した
分岐コネクタ。
【請求項２】
前記電気ケーブルを、
幅方向に所定間隔を隔てて配設した複数の平型導体と、該複数の平型導体を一体的に被覆する被覆部材とからなるフラットケーブルで構成し、
前記サブケーブルを、マトリックス溶接で前記余長部に接続する
請求項１に記載の分岐コネクタ。
【請求項３】
前記メス型コネクタに備えたコネクタ端子に、
前記平型導体を貫通して接続する貫通接続部を設けた
請求項２に記載の分岐コネクタ。
【発明の詳細な説明】
【技術分野】
【０００１】
この発明は、例えば、電気ケーブルに備えたオス型コネクタの嵌着を許容するとともに、分岐接続する分岐コネクタに関する。
【背景技術】
【０００２】
自動車の各種コントロールユニット等には複数の電子部品を実装され、それらを電気接続する電気配線は分岐等によって複雑化している。これらの電気配線の分岐は特許文献１に示すようなジョイントコネクタによって実現することができる。しかし、このようなジョイントコネクタはハウジング内において、コネクタ端子同士をバスバーで接続しているため、大電流化、小型化された電気配線において、ハウジングの熱膨張等によるコネクタの相対位置変化が生じ、電気接続性が損なわれる惧れがあった。
【０００３】
【特許文献１】特開２００３―３４６９９４号公報
【発明の開示】
【発明が解決しようとする課題】
【０００４】
この発明は、安定した電気接続性を確保することのできる分岐コネクタを提供することを目的とする。
【課題を解決するための手段】
【０００５】
この発明は、オス型コネクタの嵌着を許容する三個以上のメス型コネクタと、三方向以上の位置に配置された該メス型コネクタを保持するハウジングと、該ハウジング内部で前記メス型コネクタ同士を接続する電気ケーブルとで構成し、三個以上のメス型コネクタを、一対のメインコネクタと、それ以外のサブコネクタで構成し、前記電気ケーブルを、前記一対のメインコネクタを接続するメインケーブルと、該メインケーブルと前記サブコネクタとを接続するサブケーブルとで構成し、前記メインケーブルを、余長部を備えて、前記一対のメインコネクタを接続する接続長さより長く形成し、前記サブケーブルを、前記余長部に接続した分岐コネクタであることを特徴とする。
【０００６】
この発明の態様として、前記電気ケーブルを、幅方向に所定間隔を隔てて配設した複数の平型導体と、該複数の平型導体を一体的に被覆する被覆部材とからなるフラットケーブルで構成し、前記サブケーブルを、マトリックス溶接で前記余長部に接続することができる。  
また、この発明の態様として、前記メス型コネクタに備えたコネクタ端子に、前記平型導体を貫通して接続する貫通接続部を設けることができる。
【０００７】
上記電気ケーブルは、幅方向に所定間隔を隔てて配設した複数の平型導体と該複数の平型導体を一体的に被覆する被覆部材とからなるフラットケーブルや丸撚り線を幅方向に並べて一体化したリボン電線を用いても良いが、放熱効果が高いフラットケーブルがより好ましい。
【０００８】
上記貫通接続部は、フラットケーブルを構成する被覆部材及び平型導体を一体的に貫通するピアス刃であることをいう。  
上記マトリックス溶接は、幅方向に所定間隔を隔てて配設した複数の平型導体を交差させ、接続する平型導体同士の交点を溶接することをいう。
【発明の効果】
【０００９】
この発明によれば、安定した電気接続性を確保することのできる分岐コネクタを提供することができる。
【発明を実施するための最良の形態】
【００１０】
図１乃至６に示す本発明の分岐コネクタ１は、オス型コネクタ１００の嵌着を許容する三個のメス型コネクタ１０と、三方向に配置したメス型コネクタ１０を保持するＬ型ハウジング３０と、Ｌ型ハウジング３０の内部でメス型コネクタ１０同士を接続するフラットケーブル２０とで構成している。  
メス型コネクタ１０は、一対のメインコネクタ１１，１２と、それ以外のサブコネクタ１３で構成している（図５参照）。
【００１１】
また、一対のメインコネクタ１１，１２を接続するメインケーブル２１と、メインケーブル２１とサブコネクタ１３とを接続するサブケーブル２２とを構成するフラットケーブル２０は、幅方向Ｙに所定間隔を隔てて配設した６本の導電体２０ａと、６本の導電体２０ａを一体的に被覆する不導電性ラミネートシート２０ｂとで構成している。  
メインケーブル２１は、余長部２１ａを備えて、一対のメインコネクタ１１、１２を接続する接続長さＬより長く形成している。（図３参照）
【００１２】
サブケーブル２２は、マトリックス溶接によってメインケーブル２１の余長部２１ａに接続している。  
なお、メス型コネクタ１０に備えたピアスコネクタ端子１０ａには、導電体２０ａを貫通して接続するピアス刃１０ｂを設けている。（図４参照）
【００１３】
上述する分岐コネクタ１の構成について、図１乃至６とともに、詳述する。  
なお、図１は分岐コネクタ１の斜視図を示し、図２はＬ型ハウジング３０を透過した分岐コネクタ１の斜視図を示し、図３はＬ型ハウジング３０を透過した分岐コネクタ１の平面図を示し、図４はメインコネクタ１１の接続状態を説明する縦断面図を示し、図５はメインケーブル２１の余長部２１ａへのサブケーブル２２のマトリックス接続について説明する説明図を示し、図６はフラットケーブル２０へのピアスコネクタ端子１０ａの接続について説明する側方断面図を示している。
【００１４】
分岐コネクタ１は、三方向からのオス型コネクタ１００の嵌着を許容するメス型コネクタ１０をＬ型ハウジング３０内部に備え、三方向のオス型コネクタ１００を電気的に接続することのできる分岐コネクタである。
【００１５】
分岐コネクタ１は、平面視Ｌ型のＬ型ハウジング３０と、Ｌ型ハウジング３０における辺部分の端部にメインコネクタ１１とサブコネクタ１３とを配置し、Ｌ型の角部であって、メインコネクタ１１の対向位置にメインコネクタ１２を配置している。
【００１６】
メインコネクタ１１及びサブコネクタ１３は、電子機器側のオス型コネクタ１００ａ，１００ｂの嵌着を許容し、メインコネクタ１２は制御信号や電流の供給側のオス型コネクタ１００ｃの嵌着を許容している。  
Ｌ型ハウジング３０において、対向配置したメインコネクタ１１とメインコネクタ１２とは、メインケーブル２１で接続されている。
【００１７】
メインケーブル２１は、図４に示すように、両端がメインコネクタ１１とメインコネクタ１２とに接続され、長手方向中央に、下方突出する側面視凹状の余長部２１ａを形成している。  
サブコネクタ１３は、図３乃至５に示すように、余長部２１ａの側面部分にマトリックス接続されたサブケーブル２２によってメインケーブル２１に接続されている。
【００１８】
メインケーブル２１及びサブケーブル２２を構成するフラットケーブル２０は、幅方向Ｙに所定間隔を隔てて配設した６本の導電体２０ａと、６本の導電体２０ａを一体的に被覆する不導電性ラミネートシート２０ｂとで構成している。
【００１９】
フラットケーブル２０で構成したメインケーブル２１とサブケーブル２２とのマトリックス接続は、図５に示すように、直交するメインケーブル２１とサブケーブル２２における導電体２０ａの交点Ｐを溶接して接続している。これにより、メインケーブル２１とサブケーブル２２における所望の導電体２０ａ，２０ａ同士を確実に接続することができる。
【００２０】
なお、メインケーブル２１やサブケーブル２２を構成するフラットケーブル２０と、メス型コネクタ１０とは、メス型コネクタ１０内部に装着したピアスコネクタ端子１０ａとフラットケーブル２０との電気的接続によって接続される。
【００２１】
詳しくは、ピアスコネクタ端子１０ａに備えた長手方向Ｘ及び貫通方向Ｚに平行な面状に形成され、長手方向Ｘに複数備えたピアス刃１０ｂで不導電性ラミネートシート２０ｂごと導電体２０ａを貫通して接続している。これにより、メス型コネクタ１０に装着したピアスコネクタ端子１０ａとフラットケーブル２０とを電気的に確実に接続することができる。
【００２２】
このように構成した分岐コネクタ１は、メス型コネクタ１０に三方向からのオス型コネクタ１００の嵌着を許容し、これらオス型コネクタ１００を電気的に接続することができる。
【００２３】
なお、三方向以上の位置に配置されたメス型コネクタ１０はフラットケーブル２０で接続されているため、安定した電気接続状態を得ることができる。詳しくは、メス型コネクタ１０に装備したピアスコネクタ端子１０ａのピアス刃１０ｂで不導電性ラミネートシート２０ｂごと導電体２０ａを貫通して接続しているため、確実で安定した電気接続状態を確保することができる。
【００２４】
また、メインケーブル２１とサブケーブル２２とをマトリックス接続しているため、容易且つ確実にメインケーブル２１とサブケーブル２２における所望の導電体２０ａ，２０ａ同士を接続することができる。
【００２５】
また、対向する位置に配置した一対のメインコネクタ１１，１２を、側面視凹状の余長部２１ａを備えたメインケーブル２１で接続するとともに、サブケーブル２２を余長部２１ａの側面部分にマトリックス接続しているため、例えば通電による発熱によって、Ｌ型ハウジング３０に固定されたメインコネクタ１１，１２及びサブコネクタ１３の相対位置が変化した場合であっても、接続長さＬに対する余長部２１ａが伸長することで相対位置変化分を吸収できるため、メインコネクタ１１，１２及びサブコネクタ１３における電気接続性を損なうことを防止できる。したがって、信頼性の高い接続を実現することができる。
【００２６】
なお、メス型コネクタ１０をＬ型ハウジング３０に対して、オス型コネクタ１００の挿着方向にスライド可能に固定してもよい。この場合であっても、オス型コネクタ１００のメス型コネクタ１０の挿着時や、嵌着されたオス型コネクタ１００に引張り力が作用した場合であっても、メス型コネクタ１０がスライドできるため、オス型コネクタ１００に過度の負荷が生じることを防止できる。
【００２７】
さらに、メス型コネクタ１０を構成するメインコネクタ１１，１２を余長部２１ａを備えたメインケーブル２１で接続し、サブコネクタ１３をサブケーブル２２で余長部２１ａに接続しているため、メインコネクタ１１，１２間やサブコネクタ１３とが上記引っ張り力等によって相対的に移動した場合であっても、余長部２１ａによって相対変位を吸収できるため、安定した接続状態を維持することができる。
【００２８】
以上、この発明の構成と、上述の実施形態との対応において、
この発明のハウジングは、Ｌ型ハウジング３０に対応し、
以下同様に、
電気ケーブルは、フラットケーブル２０に対応し、
平型導体は、導電体２０ａに対応し、
被覆部材は、不導電性ラミネートシート２０ｂに対応し、
コネクタ端子は、ピアスコネクタ端子１０ａに対応し、
貫通接続部は、ピアス刃１０ｂに対応するも
この発明は、上述の実施形態の構成のみに限定されるものではなく、多くの実施の形態を得ることができる。
【図面の簡単な説明】
【００２９】
【図１】分岐コネクタの斜視図。
【図２】Ｌ型ハウジングを透過した分岐コネクタの斜視図。
【図３】Ｌ型ハウジングを透過した平面図。
【図４】メインコネクタの接続状態を説明する縦断面図。
【図５】サブケーブルのマトリックス接続について説明する説明図。
【図６】フラットケーブルへのピアスコネクタ端子の接続について説明する側方断面図。
【符号の説明】
【００３０】
１…分岐コネクタ
１０…メス型コネクタ
１０ａ…ピアスコネクタ端子
１０ｂ…ピアス刃
１１，１２…メインコネクタ
１３…サブコネクタ
２０…フラットケーブル
２０ａ…導電体
２０ｂ…不導電性ラミネートシート
２１…メインケーブル
２１ａ…余長部
２２…サブケーブル
３０…Ｌ型ハウジング
１００…オス型コネクタ
Ｌ…接続長さ
Ｙ…幅方向
【図１】
2009245842.tif 000003
【図２】
2009245842.tif 000004
【図３】
2009245842.tif 000005
【図４】
2009245842.tif 000006
【図５】
2009245842.tif 000007
【図６】
2009245842.tif 000008